(57)【特許請求の範囲】
【請求項１】
ヒンジ部で相互に連結されたケース部に環状体を分割した形状の磁性体をそれぞれ収納してなり、前記ケース部を閉じた状態にて前記磁性体の磁路が閉ループを構成するノイズ吸収装置本体と、該ノイズ吸収装置本体に取り付けられる台座とを備えるノイズ吸収装置であって、
前記ケース部の外周面にはその前端面寄り位置と後端面寄り位置とにそれぞれフランジ状凸部が一体的に形成され、前記ケース部には前記フランジ状凸部の外面に沿った外周面位置にそれぞれ抜き穴が形成され、前記フランジ状凸部の外面には前記抜き穴に臨む位置に台座取付用嵌合凹部又は穴部がそれぞれ複数箇所形成されており、
前記台座には前記台座取付用嵌合凹部又は穴部に嵌合する弾性突片部が一体に形成され、かつ前記弾性突片部の先端部に係止爪が形成され、前記台座の上面に前記ケース部底部に圧接する弾性突起部が形成されており、
前記台座取付用嵌合凹部又は穴部に前記弾性突片部を嵌合させることで、前記ケース部の開閉端部と異なる位置に、前記ノイズ吸収装置本体の装着側よりみた面積より大きくならない前記台座を、当該装着側に取り付けたことを特徴とするノイズ吸収装置。
【請求項２】
前記ケース部に前記台座を着脱自在に装着した請求項１記載のノイズ吸収装置。
【請求項３】
前記弾性突起部は、円環を複数に分割した形状で、前記台座の上面中央部分に形成されている請求項１又は２記載のノイズ吸収装置。
【請求項４】
前記台座を取り付けた一方のケース部の開閉端部に係止用嵌合穴部又は凹部を一体に形成し、前記一方のケース部に対し開閉自在な他方のケース部に前記係止用嵌合穴部又は凹部に嵌合する係止用嵌合凸部を一体に形成した請求項１，２又は３記載のノイズ吸収装置。
【発明の詳細な説明】
【０００１】
【発明の属する技術分野】
本発明は、ケーブルや電線を束ねたものの周囲に装着されてケーブルを伝搬するノイズを吸収、除去するノイズ吸収装置に係り、とくにケーブルに対し着脱容易で筺体やプリント基板上に取り付けて、位置固定が可能なノイズ吸収装置に関する。
【０００２】
【従来の技術】
従来、ケーブルの周囲に装着されてケーブルを伝搬するノイズを吸収、除去するノイズ吸収装置としては、実公平６−１４４４９号に示す構造のものが知られている。この従来のノイズ吸収装置は、図１０に示すように、リングを２分割した形状のフェライトをそれぞれ収納しかつヒンジ部２で相互に連結した保持ケース部１Ａ，１Ｂを持ち、該保持ケース部１Ａ，１Ｂを開いてケーブルＣＡに装着し、その後保持ケース部１Ａ，１Ｂを閉じた状態としてヒンジ部２の反対側（ケース部の開閉端部側）に設けられた保持ケース部１Ａ，１Ｂの係止突部３に台座４を嵌合して用いる。
【０００３】
【発明が解決しようとする課題】
ところで、図１０に示す如き従来のノイズ吸収装置は、フェライトをそれぞれ収納した保持ケース部１Ａ，１Ｂの開閉端部に係止突部３を形成し、該係止突部３に台座４を嵌合して保持ケース部１Ａ，１Ｂを確実に閉じた状態に係止する構造であるため、ノイズ吸収装置本体（フェライトを内蔵した保持ケース部１Ａ，１Ｂ）と台座４とを嵌合させた状態で製品として需要者（ユーザー）に納入したのでは、需要者側でケーブルに装着する際に、再度ノイズ吸収装置本体から台座を取り外す作業を要するので、ノイズ吸収装置本体と台座とを分離した状態でそれぞれ別部品として納入せざるを得なかった。このため、需要者側での作業効率が悪く、部品管理も面倒になる嫌いがあった。
【０００４】
さらに、電子機器の筺体やプリント基板に台座をビス、両面接着テープ等で取り付けておき、取り付けられた台座に対してノイズ吸収装置本体を嵌合するのであるが、台座がノイズ吸収装置本体を閉じた状態に保持する機能を兼ねているため、脱着作業性に問題がある。とくに筺体やプリント基板に固定済みの台座に対してノイズ吸収装置本体を一旦嵌合した後に、保守作業に伴う基板の交換等でノイズ吸収装置本体を台座から外す作業は面倒な作業となる。すなわち、ノイズ吸収装置本体が台座から容易に脱落することのないように両者は確実に嵌合する構造（例えば、保持ケース部１Ａ，１Ｂの係止突部３と係合する掛止爪が台座４に形成されている）となっているが、台座が基板等に取り付けられた状態では台座とノイズ吸収装置本体との嵌合部分が基板に近接しており、ノイズ吸収装置本体を外す作業を円滑に行い難い。
【０００５】
本発明の第１の目的は、上記の点に鑑み、ノイズ吸収装置本体と台座とを予め組み合わせた状態で需要者に納入可能で、需要者側でのケーブル等に対する装着作業性の良いノイズ吸収装置を提供することにある。
【０００６】
本発明の第２の目的は、ケーブル等に対する脱着作業性が良好なノイズ吸収装置を提供することにある。
【０００７】
本発明の第３の目的は、筺体やプリント基板等への取り付け作業が簡単なノイズ吸収装置を提供することにある。
【０００８】
本発明のその他の目的や新規な特徴は後述の発明の実施の形態において明らかにする。
【０００９】
【課題を解決するための手段】
上記目的を達成するために、本発明は、ヒンジ部で相互に連結されたケース部に環状体を分割した形状の磁性体をそれぞれ収納してなり、前記ケース部を閉じた状態にて前記磁性体の磁路が閉ループを構成するノイズ吸収装置本体と、該ノイズ吸収装置本体に取り付けられる台座とを備えるノイズ吸収装置であって、
前記ケース部の外周面にはその前端面寄り位置と後端面寄り位置とにそれぞれフランジ状凸部が一体的に形成され、前記ケース部には前記フランジ状凸部の外面に沿った外周面位置にそれぞれ抜き穴が形成され、前記フランジ状凸部の外面には前記抜き穴に臨む位置に台座取付用嵌合凹部又は穴部がそれぞれ複数箇所形成されており、
前記台座には前記台座取付用嵌合凹部又は穴部に嵌合する弾性突片部が一体に形成され、かつ前記弾性突片部の先端部に係止爪が形成され、前記台座の上面に前記ケース部底部に圧接する弾性突起部が形成されており、
前記台座取付用嵌合凹部又は穴部に前記弾性突片部を嵌合させることで、前記ケース部の開閉端部と異なる位置に、前記ノイズ吸収装置本体の装着側よりみた面積より大きくならない前記台座を、当該装着側に取り付けた構成としている。
【００１０】
また、前記ケース部に前記台座を着脱自在に装着する構成としてもよい。
【００１１】
さらに、前記弾性突起部は、円環を複数に分割した形状で、前記台座の上面中央部分に形成された構成としてもよい。
【００１２】
また、前記台座を取り付けた一方のケース部の開閉端部に係止用嵌合穴部又は凹部を一体に形成し、前記一方のケース部に対し開閉自在な他方のケース部に前記係止用嵌合穴部又は凹部に嵌合する係止用嵌合凸部を一体に形成する構成としてもよい。
【００１３】
【発明の実施の形態】
以下、本発明に係るノイズ吸収装置の実施の形態を図面に従って説明する。
【００１４】
図１乃至図５は本発明の実施の形態であってノイズ吸収装置の全体構成を、図６乃至図８はノイズ吸収装置本体部分を、図９は台座部分をそれぞれ示す。
【００１５】
これらの図に示すように、ノイズ吸収装置は、リング（円環状体乃至円筒体）を２分割した形状の磁性体としてのフェライト３０Ａ，３０Ｂをがたつき無く収納するように形成された２個のケース部１１Ａ，１１Ｂを有するプラスチック製保持ケース１０及び該ケース部１１Ａ，１１Ｂ内に収納されたフェライト３０Ａ，３０Ｂからなるノイズ吸収装置本体ＮＦと、一方のケース部１１Ａに着脱自在に取り付けられるプラスチック製台座４０とからなっている。
【００１６】
前記ノイズ吸収装置本体ＮＦにおけるプラスチック製保持ケース１０は、ヒンジ部１２で接合された２個のケース部１１Ａ，１１Ｂを有し、リングを２分割した形状のフェライト３０Ａ，３０Ｂをがたつき無く収納するように形成されている。すなわち、ケース部１１Ａ，１１Ｂはフェライト３０Ａ，３０Ｂの外周面及び両端面を覆うことが可能な略半割り円筒状であり、図４の平面図及び図７の底面図に示すようにケース部１１Ａ，１１Ｂの外周部にはフェライト３０Ａ，３０Ｂの外周面を押圧する向きに僅かに曲げられた弾性舌片部１３が一体に形成され、かつケース部１１Ａ，１１Ｂの内側側面にはフェライト３０Ａ，３０Ｂを当該ケース部から脱落しないように抑える押さえ爪１４が一体に形成されている。なお、ケース部１１Ａ，１１Ｂの両側面にはフェライト３０Ａ，３０Ｂの側面形状に対応して半円形の切欠１５がそれぞれ形成されている。
【００１７】
また、ケース部１１Ａの開閉端部（ヒンジ部１２の反対側端部）には延長部１６が一体に形成されており、図８等に示すように該延長部１６に係止用嵌合穴部１７が形成されている。ケース部１１Ｂの開閉端部には、先端部が前記嵌合穴部１７に嵌合する係止用嵌合凸部１９となった延長係止片１８が一体に形成されている。図１や図５のケース部１１Ａ，１１Ｂが開いた状態からケース部１１Ｂを１８０度回転させたとき、ケース部１１Ｂ側の嵌合凸部１９がケース部１１Ａ側の嵌合穴部１７の内側に嵌合して両ケース部１１Ａ，１１Ｂが閉じた状態を保持する。
【００１８】
前記ケース部１１Ａの外周面にはその前端面寄り位置と後端面寄り位置とにそれぞれフランジ状凸部２０Ａが一体に形成され、ケース部１１Ｂの外周面にも前端面寄り位置と後端面寄り位置とにそれぞれフランジ状凸部２０Ｂが形成されている。図７の底面図に示すように一対のフランジ状凸部２０Ａの外面に沿った外周面位置（前側フランジ状凸部の前側及び後側フランジ状凸部の後側）にそれぞれ２箇所（合計４箇所）抜き穴２１Ａが形成されている。また、一対のフランジ状凸部２０Ａの外面には各抜き穴２１Ａに臨む位置にプラスチック製台座４０を着脱自在に装着するための台座取付用嵌合凹部２２がそれぞれ２箇所（合計４箇所）形成されている。なお、図４の平面図に示すようにケース部１１Ｂの一対のフランジ状凸部２０Ｂの外面に沿った外周面位置（前側フランジ状凸部の前側及び後側フランジ状凸部の後側）にそれぞれ２箇所（合計４箇所）抜き穴２１Ｂが形成されている。但し、上側となるケース部１１Ｂには台座４０を装着しないため、台座取付用嵌合凹部２２は形成していない。
【００１９】
前記ケース部１１Ａの一方の外側側面には、突出部２５が一体に形成され、該突出部２５に結束バンド挿通穴２６が設けられている。この結束バンド挿通穴２６は、台座不使用時にフェライト３０Ａ，３０Ｂを収納した保持ケース１０、すなわちノイズ吸収装置本体ＮＦをケーブル等に止めるための結束バンドを通すためのものである。
【００２０】
前記フェライト３０Ａ，３０Ｂは、リングを２分割した形状であるが、プラスチック製保持ケース１０側の押さえ爪１４に当接する部分は一段低い段差面となっている。そして、フェライト３０Ａ，３０Ｂは保持ケース１０の弾性を利用して保持ケース１０の各ケース部１１Ａ，１１Ｂ内に嵌め込まれて収納され、ケース内側に少し曲げられた弾性舌片部１３及び押さえ爪１４でがたつきなく保持され、これによりノイズ吸収装置本体ＮＦが構成される。
【００２１】
前記プラスチック製台座４０は、周縁に一定高さのリブ４２を形成した略方形の台座本体４１と、リブ４２の両方の長辺上方に延長した２対の弾性突片部４３と、該台座本体４１の両側面より斜め下方に延長した弾性押圧舌片部４５と、台座本体４１の下面中央より下方に延長した取付用円柱体４６とを有している。前記２対の弾性突片部４３は、ケース部１１Ａの一対のフランジ状凸部２０Ａを外側から挟持可能な位置関係となっており、各弾性突片部４３の先端部に係止爪４４を有していて、対をなす弾性突片部４３の係止爪４４は相互に対向している。また、台座本体４１の上面中央部分には、円環を複数に分割した形状（円弧形状）の弾性突起部５０が一体に形成されている。これらの弾性突起部５０は、ケース部１１Ａの底部に圧接して、ケース部１１Ａと台座４０間のがたつきを防止するためのものである。前記弾性押圧舌片部４５及び取付用円柱体４６は、ビス等を用いることなく台座４０を筺体やプリント基板等に装着可能とするためのもので、図２のように取付用円柱体４６の下端部には抜け防止用爪４７が形成されるとともに、弾性を持たせるために上下方向スリット溝４８で取付用円柱体４６は下部が２分割されている。
【００２２】
前記プラスチック製台座４０は、図３のように保持ケース１０側ケース部１１Ａに形成された前後のフランジ状凸部２０Ａを挟持する位置関係となるように各弾性突片部４３を抜き穴２１Ａに差し込み、各抜き穴２１Ａに対応した位置に形成された台座取付用嵌合凹部２２に各弾性突片部４３先端部の係止爪４４を嵌合させることで、保持ケース１０に取り付けられる。逆に各弾性突片部４３の弾性を利用して係止爪４４を台座取付用嵌合凹部２２から外すことが可能であり、保持ケース１０に対して台座４０は着脱自在である。
【００２３】
台座４０を利用して電子機器の筺体やプリント基板にノイズ吸収装置本体ＮＦを取り付ける場合、図１や図５の分解状態から保持ケース１０に対して台座４０を取り付け（又は保持ケース１０に台座４０が予め一体化されている）、２点鎖線で示されるケーブルＣＡ（又は電線の束）を一方のケース部１１Ａ及びフェライト３０Ａの半円形凹部に配置し、他方のケース部１１Ｂを１８０度回転し図８の矢印の如く嵌合凸部１９をケース部１１Ａ側の嵌合穴部１７の内側に嵌合して両ケース部１１Ａ，１１Ｂを図２のように閉じる。そして、図２の仮想線に示すように台座４０下部の取付用円柱体４６を筺体（又はプリント基板）６０の嵌合穴６１に嵌入することにより、取付用円柱体４６下端部の抜け防止用爪４７が嵌合穴６１の裏側周縁に引掛かり、かつ弾性押圧舌片部４５が筺体６０上面を押圧するので、がたつきなく台座４０、すなわちノイズ吸収装置を筺体６０に取り付けることができる。逆に、保持ケース１０と台座４０とを一体化し、台座４０を先に筺体６０に取り付け、その後にケーブル等をケース部１１Ａ，１１Ｂ間に配置するようにしてもよい。
【００２４】
ケーブル等の周囲にノイズ吸収装置を装着することで、ケーブル等を伝搬するノイズは、ケース部１１Ａ，１１Ｂが閉じられたときに磁路が閉ループとなっているフェライト３０Ａ，３０Ｂで吸収、除去される。
【００２５】
この発明の実施の形態によれば、次の通りの効果を得ることができる。
【００２６】
(1)  プラスチック製保持ケース１０のケース部１１Ａ，１１Ｂの開閉端部と異なる位置（ケース部１１Ａの外周面中間部でケース部１１Ａ，１１Ｂの開閉の妨げとならない位置）にプラスチック製台座４０を取り付ける構造で、ケース部１１Ａ，１１Ｂの開閉面は保持ケース１０の中間高さ位置で筺体等への装着面に略平行であり、保持ケース１０に対する台座４０の装着の有無に関係なくケース部１１Ａ，１１Ｂを開閉することができる。このため、需要者に対し、予め保持ケース１０に台座４０を一体化した製品として梱包し、納入することが可能である。従って、需要者側において従来２部品として管理していたものが１部品として管理でき、製品管理が容易となり、しかもケーブルや電線の束に対する取付作業及び筺体やプリント基板への取付作業を効率的に実施できる。さらに、台座４０を筺体、プリント基板等に取り付け後のケース部１１Ａ，１１Ｂの開閉も容易であるため、保守、点検の際にプリント基板等を外したり、交換したりすることが容易で保守性に優れている。また、筺体等に位置固定できることで、ケーブルや電線の束にノイズ吸収装置の自重がかからないため、ケーブル等の先端にあるコネクタ等へのストレスを回避できる。また、筺体内部の複数の信号ケーブルを所定の位置に束ねてガイドする効果もある。
【００２７】
(2)  前記ケース部１１Ａに形成された前後のフランジ状凸部２０Ａにそれぞれ１対の台座取付用嵌合凹部２２を形成し、前記プラスチック製台座４０に各台座取付用嵌合凹部２２にそれぞれ対応する弾性突片部４３を一体に形成したことで、プラスチックの弾性を利用してスナップ嵌合できるので、ケース部１１Ａに対し前記台座４０を簡単に装着できる。なお、各弾性突片部４３は弾性が保てる範囲で可能な限り短く太い構造として、保持ケース１０側への嵌合時の接合強度を増加させる設計が望ましく、さらに各弾性突片部４３の先端部に係止爪４４が形成されており、該係止爪４４が台座取付用嵌合凹部２２に確実に嵌まるので、台座４０からフェライト３０Ａ，３０Ｂを収納した保持ケース１０が振動等で脱落するおそれはない。また、各弾性突片部４３の弾性を利用して各係止爪４４を台座取付用嵌合凹部２２から強制的に外すことで台座４０を保持ケース１０から分離することが可能である。
【００２８】
(3)  前記プラスチック製台座４０の上面に前記ケース部１１Ａ底部に圧接する円環を分割した形状の複数の弾性突起部５０を形成したので、台座４０装着時の保持ケース１０と台座４０間のがたつきをプラスチックの弾性で吸収することができる。
【００２９】
(4)  前記台座４０は、係止用嵌合穴部１７を有するケース部１１Ａ側に装着するようにし、ヒンジ部１２を介し開閉自在な如く連結された他方のケース部１１Ｂに係止用嵌合凸部１９を設けており、台座４０を利用して筺体６０等に取り付けた際に、係止用嵌合穴部１７を形成した延長部１６が上向きでかつ係止用嵌合凸部１９を持つ延長係止片１８の外側に位置するようにしたので、ケース部１１Ｂを回転させて開閉する作業（とくに閉じていたのを開ける動作）を円滑に行うことができる。
【００３０】
(5)  前記台座４０の底面積は、ノイズ吸収装置を下側（筺体面側）からみたときに保持ケース１０より大きくならないようにしてあるので、筺体やプリント基板上の他の部品配置に支障をきたさない。
【００３１】
(6)  筺体６０等に固定する必要の無い場合には、保持ケース１０にフェライト３０Ａ，３０Ｂを収納したノイズ吸収装置本体ＮＦから台座４０を外して使用でき、ノイズ吸収装置本体ＮＦが外観構造上、特異な方向性を持たない対称形となっている。台座４０を使用しないときは、ノイズ吸収装置本体を結束バンド挿通穴２６に結束バンドを挿通してケーブル等に巻き付けて固定することができる。
【００３２】
なお、上述の発明の実施の形態は、台座４０側の弾性突片部４３が２対であるが、原理上は１対（２個）以上であればよく、必要に応じて弾性突片部４３の幅を大きく設定すること等も可能である。
【００３３】
また、前記台座４０側の弾性突片部４３が嵌合する保持ケース１０側に台座取付用嵌合凹部２２を形成したが、台座取付用嵌合穴部を形成してもよい。
【００３４】
前記保持ケース１０の一方のケース部１１Ａの延長部１６に係止用嵌合穴部１７が形成され、これに他方のケース部１１Ｂの延長係止片１８の係止用嵌合凸部１９が嵌まり込むようにしたが、前記係止用嵌合凸部１９が嵌合可能であれば、係止用嵌合凹部を前記延長部１６に形成するようにしてもよい。
【００３５】
また、保持ケース１０に収納する磁性体としてフェライト３０Ａ，３０Ｂを例示したが、フェライト粉末を樹脂等に混入した複合フェライト等であってもよい。
【００３６】
さらに、保持ケース１０及び台座４０はプラスチック製であるとしたが、適切な弾性を持つ絶縁性部材であればその他の材料も採用可能である。
【００３７】
以上本発明の実施の形態について説明してきたが、本発明はこれに限定されることなく請求項の記載の範囲内において各種の変形、変更が可能なことは当業者には自明であろう。
【００３８】
【発明の効果】
以上説明したように、本発明のノイズ吸収装置によれば、ヒンジ部で相互に連結されたケース部に環状体を分割した形状の磁性体をそれぞれ収納し、前記ケース部を閉じた状態にて前記磁性体の磁路が閉ループを構成するようにし、さらに前記ケース部の開閉端部と異なる位置（開閉に支障のない位置）に台座を取り付けたので、台座装着の有無に関係なくケース部の開閉動作が可能となる。この結果、需要者の要求にあわせて磁性体を収納したケース部に予め台座を一体化して梱包、納品することが可能であり、需要者側において製品管理が容易となるとともに電子機器の筺体、プリント基板等への固定、ケーブル等の固定作業を効率的に行えるようになる。さらに、ノイズ吸収装置を筺体、プリント基板等へ固定した後、ケース部を開いてケーブル等を解放することも可能で、保守、点検等の際にプリント基板等を外したり交換する作業を容易に実行することができる。
【図面の簡単な説明】
【図１】本発明に係るノイズ吸収装置の実施の形態であってノイズ吸収装置本体が開いた状態を示す分解斜視図である。
【図２】本発明の実施の形態において筺体にノイズ吸収装置を固定する様子を示す正面図である。
【図３】本発明の実施の形態であってノイズ吸収装置本体が閉じた状態を示す一部を断面とした側面図である。
【図４】同平面図である。
【図５】本発明の実施の形態であってノイズ吸収装置本体が開いた状態の分解正面図である。
【図６】本発明の実施の形態におけるノイズ吸収装置本体であって開いた状態の平面図である。
【図７】本発明の実施の形態におけるノイズ吸収装置本体であって閉じた状態の底面図である。
【図８】本発明の実施の形態における保持ケースの開閉構造の要部を示す拡大側面図である。
【図９】本発明の実施の形態における台座を示す平面図である。
【図１０】従来装置を示す分解斜視図である。
【符号の説明】
ＣＡ  ケーブル
ＮＦ  ノイズ吸収装置本体
１０  保持ケース
１１Ａ，１１Ｂ  ケース部
１２  ヒンジ部
１３  弾性舌片部
１４  押さえ爪
１５  切欠
１６  延長部
１７  係止用嵌合穴部
１８  延長係止片
１９  係止用嵌合凸部
２０Ａ，２０Ｂ  フランジ状凸部
２１Ａ，２１Ｂ  抜き穴
２２  台座取付用嵌合凹部
３０Ａ，３０Ｂ  フェライト
４０  台座
４１  台座本体
４２  リブ
４３  弾性突片部
４４  係止爪
４５  弾性押圧舌片部
４６  取付用円柱体
４７  抜け防止用爪
４８  スリット溝
５０  弾性突起部
６０  筺体
【図１】
0003668820.tif 000002
【図２】
0003668820.tif 000003
【図３】
0003668820.tif 000004
【図４】
0003668820.tif 000005
【図５】
0003668820.tif 000006
【図６】
0003668820.tif 000007
【図７】
0003668820.tif 000008
【図８】
0003668820.tif 000009
【図９】
0003668820.tif 000010
【図１０】
0003668820.tif 000011